(57)【要約】【課題】個別情報の管理にかかるユーザの負担を軽減させることができるソフトウェアインストール管理システムを提供する。【解決手段】第１の記録媒体から第１の個別情報を読み出し、第２の記録媒体から第２の個別情報を読み出し、読み出した第１の個別情報と第２の個別情報とを比較して、第１の記録媒体と第２の記録媒体との組み合わせが正しいか否かを検出し、第１の記録媒体と第２の記録媒体との組み合わせが正しいことが検出された場合に、第２の記録媒体からソフトウェアのインストールを許可し、第２の記録媒体からソフトウェアを読み出し、読み出したソフトウェアをコンピュータにインストールする。【選択図】  図１
2004295391.tif 000002
【特許請求の範囲】
【請求項１】
第１の個別情報が記憶された第１の記録媒体が設けられているとともに第２の個別情報およびデータが記憶された第２の記録媒体から、該データの読み出しが可能であり、コンピュータに接続可能な読み取り装置であって、
前記第１の記録媒体から第１の個別情報を読み出す第１の読み出し部と、
前記第２の記録媒体から第２の個別情報を読み出す第２の読み出し部と、
前記第１の読み出し部によって読み出された第１の個別情報と前記第２の読み出し部によって読み出された第２の個別情報とを比較して、前記第１の記録媒体と前記第２の記録媒体との組み合わせが正しいか否かを検出する正当性検出部と、
前記正当性検出部によって、前記第１の記録媒体と前記第２の記録媒体との組み合わせが正しいことが検出された場合に、前記第２の記録媒体から前記データの読み出しを許可する許可部と、
前記許可部によってデータの読み出しが許可された場合に、前記第２の記録媒体から前記データを読み出し、読み出したデータを前記コンピュータに出力する出力部と、
を有することを特徴とするデータ読み取り装置。
【請求項２】
第１の個別情報が記憶された第１の記録媒体が設けられているとともに第２の個別情報およびソフトウェアが記憶された第２の記録媒体から、コンピュータに対する該ソフトウェアのインストールを管理するソフトウェアインストール管理システムであって、
前記第１の記録媒体から第１の個別情報を読み出す第１の読み出し部と、
前記第２の記録媒体から第２の個別情報を読み出す第２の読み出し部と、
前記第１の読み出し部によって読み出された第１の個別情報と前記第２の読み出し部によって読み出された第２の個別情報とを比較して、前記第１の記録媒体と前記第２の記録媒体との組み合わせが正しいか否かを検出する正当性検出部と、
前記正当性検出部によって、前記第１の記録媒体と前記第２の記録媒体との組み合わせが正しいことが検出された場合に、前記第２の記録媒体から前記ソフトウェアのインストールを許可する許可部と、
前記許可部によってソフトウェアのインストールが許可された場合に、前記第２の記録媒体から前記ソフトウェアを読み出し、読み出したソフトウェアを前記コンピュータにインストールする出力部と、
を有することを特徴とするソフトウェアインストール管理システム。
【請求項３】
記録媒体にさらに他の記録媒体が設けられた記録媒体であって、
前記他の記録媒体には、前記記録媒体に記憶されたデータの読み出しを許可するか否かの識別に用いられる個別情報が記憶されていることを特徴とする記録媒体。
【請求項４】
第１の個別情報が記憶された第１の記録媒体が設けられているとともに第２の個別情報およびソフトウェアが記憶された第２の記録媒体から、コンピュータに対する該ソフトウェアのインストールを管理するソフトウェアインストール管理システムに用いられるソフトウェアインストール管理方法であって、
前記ソフトウェアインストール管理システムは、
前記第１の記録媒体から第１の個別情報を読み出し、
前記第２の記録媒体から第２の個別情報を読み出し、
読み出した第１の個別情報と第２の個別情報とを比較して、前記第１の記録媒体と前記第２の記録媒体との組み合わせが正しいか否かを検出し、
前記第１の記録媒体と前記第２の記録媒体との組み合わせが正しいことが検出された場合に、前記第２の記録媒体から前記ソフトウェアのインストールを許可し、
前記ソフトウェアのインストールが許可された場合に前記第２の記録媒体から前記ソフトウェアを読み出し、読み出したソフトウェアを前記コンピュータにインストールする
ことを特徴とするソフトウェアインストール管理方法。
【請求項５】
第１の個別情報が記憶された第１の記録媒体が設けられているとともに第２の個別情報およびソフトウェアが記憶された第２の記録媒体から、コンピュータに対する該ソフトウェアのインストールを管理するソフトウェアインストール管理システムに用いられるコンピュータ読み取り可能なソフトウェアインストール管理プログラムであって、
前記第１の記録媒体から第１の個別情報を読み出すステップと、
前記第２の記録媒体から第２の個別情報を読み出すステップと、
読み出した第１の個別情報と第２の個別情報とを比較して、前記第１の記録媒体と前記第２の記録媒体との組み合わせが正しいか否かを検出するステップと、
前記第１の記録媒体と前記第２の記録媒体との組み合わせが正しいことが検出された場合に、前記第２の記録媒体から前記ソフトウェアのインストールを許可するステップと、
前記ソフトウェアのインストールが許可された場合に前記第２の記録媒体から前記ソフトウェアを読み出し、読み出したソフトウェアを前記コンピュータにインストールするステップと
をコンピュータに実行させるためのソフトウェアインストール管理プログラム。
【発明の詳細な説明】
【０００１】
【発明の属する技術分野】
この発明は、ソフトウェアのインストールを許可するか否かを管理するデータ読み取り装置、記録媒体、ソフトウェアインストール管理システム、ソフトウェアインストール管理方法、ソフトウェアインストール管理プログラムに関するものである。
【０００２】
【従来の技術】
従来から、ソフトウェアの配布媒体として、ＣＤ−ＲＯＭ（Ｃｏｍｐａｃｔ  Ｄｉｓｃ  Ｒｅａｄ  Ｏｎｌｙ  Ｍｅｍｏｒｙ）、ＭＯ（光磁気ディスク）等の記録媒体が利用されている。利用者は、これらの記録媒体を利用して、コンピュータにソフトウェアをインストールしている。このソフトウェアをインストールする際、そのソフトウェアの正式なユーザであるか否かを認証するために、シリアルキーなど認証に用いられる個別情報をユーザに入力してもらい、認証を行っている。そして、認証が成立した場合にインストールが正しく行われ、ソフトウェアの利用が可能になる。
【０００３】
この認証を行うにあたり、シリアルキーをＩＣカードに記憶させておき、認証時にこのＩＣカードを読み取らせて認証するシステムが提案されている（例えば、特許文献１参照）。
また、インストールする際に、インストール情報をソフトウェア販売者側コンピュータに登録させた後に、インストールを許可するシステムが提案されている（例えば、特許文献２参照）。
【０００４】
【特許文献１】
特開２００２−２６８７６４号公報
【特許文献２】
特開２００１−２６５５８８号公報
【０００５】
【発明が解決しようとする課題】
しかしながら、上述した従来技術においては、ソフトウェアがコピーされ、シリアルキーが知られてしまうと、正当なユーザ以外でもインストールが可能となり、不正なインストールを防止することがでないという問題点がある。
【０００６】
また、上述した特許文献１においては、ＩＣカードを紛失してしまうと、正当なユーザであってもインストールすることができないという問題点があった。このように、シリアルキー等の個別情報が記憶されたＩＣカードの管理が繁雑であった。
また、ソフトウェアを他の記録媒体にコピーしてＩＣカードによって認証することにより、ソフトウェアのインストールが可能であるので、ソフトウェアそのものが複製されてしまう可能性があった。
【０００７】
また、上述の特許文献２においては、インストール時にソフトウェア販売者側コンピュータにユーザ登録する必要があるので、ネットワーク等に接続されていないコンピュータにおいては、インストールするためだけにネットワーク接続し、販売者側コンピュータと通信可能に構築しなければない。従って、コンピュータをネットワーク接続させる知識を有しないユーザにとっては、繁雑な作業であり、負担が大きかった。
【０００８】
本発明は、このような事情に鑑みてなされたもので、その目的は、個別情報の管理にかかるユーザの負担を軽減させることができるデータ読み取り装置、記録媒体、ソフトウェアインストール管理システム、ソフトウェアインストール管理方法、ソフトウェアインストール管理プログラムを提供することにある。
また、本発明は、ネットワーク接続されていないコンピュータであっても、不正なインストールを排除するデータ読み取り装置、記録媒体、ソフトウェアインストール管理システム、ソフトウェアインストール管理方法、ソフトウェアインストール管理プログラムを提供することにある。
【０００９】
【課題を解決するための手段】
上記目的を達成するために、本発明は、第１の個別情報が記憶された第１の記録媒体が設けられているとともに第２の個別情報およびデータが記憶された第２の記録媒体から、該データの読み出しが可能であり、コンピュータに接続可能な読み取り装置であって、前記第１の記録媒体から第１の個別情報を読み出す第１の読み出し部と、前記第２の記録媒体から第２の個別情報を読み出す第２の読み出し部と、前記第１の読み出し部によって読み出された第１の個別情報と前記第２の読み出し部によって読み出された第２の個別情報とを比較して、前記第１の記録媒体と前記第２の記録媒体との組み合わせが正しいか否かを検出する正当性検出部と、前記正当性検出部によって、前記第１の記録媒体と前記第２の記録媒体との組み合わせが正しいことが検出された場合に、前記第２の記録媒体から前記データの読み出しを許可する許可部と、前記許可部によってデータの読み出しが許可された場合に、前記第２の記録媒体から前記データを読み出し、読み出したデータを前記コンピュータに出力する出力部と、を有することを特徴とする。
【００１０】
また、本発明は、第１の個別情報が記憶された第１の記録媒体が設けられているとともに第２の個別情報およびソフトウェアが記憶された第２の記録媒体から、コンピュータに対する該ソフトウェアのインストールを管理するソフトウェアインストール管理システムであって、前記第１の記録媒体から第１の個別情報を読み出す第１の読み出し部と、前記第２の記録媒体から第２の個別情報を読み出す第２の読み出し部と、前記第１の読み出し部によって読み出された第１の個別情報と前記第２の読み出し部によって読み出された第２の個別情報とを比較して、前記第１の記録媒体と前記第２の記録媒体との組み合わせが正しいか否かを検出する正当性検出部と、前記正当性検出部によって、前記第１の記録媒体と前記第２の記録媒体との組み合わせが正しいことが検出された場合に、前記第２の記録媒体から前記ソフトウェアのインストールを許可する許可部と、前記許可部によってソフトウェアのインストールが許可された場合に、前記第２の記録媒体から前記ソフトウェアを読み出し、読み出したソフトウェアを前記コンピュータにインストールする出力部と、を有することを特徴とする。
【００１１】
また、本発明は、記録媒体にさらに他の記録媒体が設けられた記録媒体であって、前記他の記録媒体には、前記記録媒体に記憶されたデータの読み出しを許可するか否かの識別に用いられる個別情報が記憶されていることを特徴とする。
【００１２】
また、本発明は、第１の個別情報が記憶された第１の記録媒体が設けられているとともに第２の個別情報およびソフトウェアが記憶された第２の記録媒体から、コンピュータに対する該ソフトウェアのインストールを管理するソフトウェアインストール管理システムに用いられるソフトウェアインストール管理方法であって、前記ソフトウェアインストール管理システムは、前記第１の記録媒体から第１の個別情報を読み出し、前記第２の記録媒体から第２の個別情報を読み出し、読み出した第１の個別情報と第２の個別情報とを比較して、前記第１の記録媒体と前記第２の記録媒体との組み合わせが正しいか否かを検出し、前記第１の記録媒体と前記第２の記録媒体との組み合わせが正しいことが検出された場合に、前記第２の記録媒体から前記ソフトウェアのインストールを許可し、前記ソフトウェアのインストールが許可された場合に前記第２の記録媒体から前記ソフトウェアを読み出し、読み出したソフトウェアを前記コンピュータにインストールすることを特徴とする。
【００１３】
また、本発明は、第１の個別情報が記憶された第１の記録媒体が設けられているとともに第２の個別情報およびソフトウェアが記憶された第２の記録媒体から、コンピュータに対する該ソフトウェアのインストールを管理するソフトウェアインストール管理システムに用いられるコンピュータ読み取り可能なソフトウェアインストール管理プログラムであって、前記第１の記録媒体から第１の個別情報を読み出すステップと、前記第２の記録媒体から第２の個別情報を読み出すステップと、読み出した第１の個別情報と第２の個別情報とを比較して、前記第１の記録媒体と前記第２の記録媒体との組み合わせが正しいか否かを検出するステップと、前記第１の記録媒体と前記第２の記録媒体との組み合わせが正しいことが検出された場合に、前記第２の記録媒体から前記ソフトウェアのインストールを許可するステップと、前記ソフトウェアのインストールが許可された場合に前記第２の記録媒体から前記ソフトウェアを読み出し、読み出したソフトウェアを前記コンピュータにインストールするステップとをコンピュータに実行させることを特徴とする。
【００１４】
【発明の実施の形態】
以下、本発明の一実施形態による記録媒体、データ読み取り装置が適用されたソフトウェアインストール管理システムを図面を参照して説明する。
図１は、この発明の一実施形態による記録媒体、データ読み取り装置が適用されたソフトウェアインストール管理システムの構成を示す図である。
この図に示すように、この実施形態におけるソフトウェアインストール管理システムは、上述の第１の記録媒体の一例としてのＩＣタグが、上述の第２の記録媒体の一例となるＣＤ−ＲＯＭに取り付けられ、記録媒体３が構成される。
ＩＣタグ１は、ＣＤ−ＲＯＭ２に記憶されたデータの読み出しを許可するか否かの識別に用いられる個別情報が記憶されている。この個別情報が上述の第１の個別情報に相当する。また、この個別情報としては、例えば、シリアルキー、シリアル番号、プロダクトキー等があげられる。すなわち、この個別番号が正当であることが認証された場合に、ＣＤ−ＲＯＭ２に記録されたデータの読み出しや、ソフトウェアのインストールが許可される。
ＣＤ−ＲＯＭ２は、ＩＣタグ１が取り付けられており、コンピュータ５において実行可能なソフトウェアが記憶されている。また、ＣＤ−ＲＯＭ２には、個別情報が記憶されている。この個別情報が上述の第２の個別情報に相当する。
【００１５】
次に、上述のデータ読み取り装置の一例としてのＩＣタグリーダ付きＣＤ−ＲＯＭドライブ４は、記録媒体３が挿入されることにより、記録媒体３のＩＣタグ１に記憶された個別情報の読み出しと、ＣＤ−ＲＯＭ２に記憶されたソフトウェアおよび個別情報の読み出しが可能であり、接続ケーブル６を介してコンピュータ５に接続される。
コンピュータ５は、ＩＣタグリーダ付きＣＤ−ＲＯＭドライブ４において、ソフトウェアのインストールが許可された場合に、該ソフトウェアをインストールする機能を有する。
【００１６】
次に、図１の構成におけるＩＣタグリーダ付きＣＤ−ＲＯＭドライブ４について、図２の概略ブロック図を用いて説明する。
この図において、ＩＣタグリーダ付きＣＤ−ＲＯＭドライブ４は、記録媒体３が挿入されることにより、インストーラが起動する機能を有する。
第１読み出し部４１は、第１の記録媒体となるＩＣタグ１から個別情報を読み出す。正当性検出部４２は、第１の読み出し部４１によってＩＣタグ１から読み出された個別情報と後述する第２の読み出し部４４によって読み出された個別情報とを比較して、ＩＣタグ１とＣＤ−ＲＯＭ２との組み合わせが正しいか否かを検出する。例えば、ＣＤ−ＲＯＭ２に記憶された個別情報を第２読み出し部４４によって読み出し、ＣＤ−ＲＯＭ２から読み出した個別情報とＩＣタグ１から読み出した個別情報が一致するか否かを比較することにより行われる。なお、ＣＤ−ＲＯＭ２から読み出した個別情報とＩＣタグ１から読み出した個別情報とが、対応関係がある情報であった場合に、組み合わせが正しいとして検出するようにしてもよい。
【００１７】
許可部４３は、正当性検出部４２によってＩＣタグ１から読み出した個別情報とＣＤ−ＲＯＭ２から読み出した個別情報との組み合わせが正しいことが検出された場合に、第２読み出し部によってＣＤ−ＲＯＭ２からソフトウェアの読み出しを許可する。第２読み出し部４４は、ＣＤ−ＲＯＭ２から個別情報とソフトウェアとを読み出す機能を有する。出力部４５は、許可部４３によってソフトウェアの読み出しが許可された場合に、第２読み出し部４４によって、ＣＤ−ＲＯＭ２からソフトウェアを読み出し、読み出したソフトウェアをコンピュータ５に出力する。
【００１８】
次に、図１の構成におけるソフトウェアインストール管理システムの動作について図３のフローチャートを用いて説明する。
ＩＣタグリーダ付きＣＤ−ＲＯＭドライブ４は、記録媒体３が挿入され、コンピュータ５からソフトウェアのインストールが指示されると、インストーラを起動し（ステップＳ１）、第１読み出し部４１によってＩＣタグ１の個別情報を読み出し（ステップＳ２）、正常に読み出しができたか否かを検出する（ステップＳ３）。正常に読み出しができない場合、エラーであるとして、インストーラが終了する（ステップＳ４）。
一方、正常に読み出しができた場合、正当性検出部４２は、第２読み出し部４４によってＣＤ−ＲＯＭ２に記憶された個別情報を読み出して、第１読み出し部４１によってＩＣタグ１から読み出された個別情報と比較して個別情報の正当性を検出する（ステップＳ５）。ここで、個別情報が一致しない場合、エラーであるとしてインストーラが終了する（ステップＳ６）。
【００１９】
一方、個別情報が一致して正しいことが検出された場合、許可部４３は、出力部４５にソフトウェアの読み出しを許可する。出力部４５は、この読み出し許可を受けると、第２読み出し部４４によって、ＣＤ−ＲＯＭ２からソフトウェアを読み出してコンピュータ５に出力し、インストールさせる（ステップＳ７）。これにより、コンピュータ５にソフトウェアがインストールされる。
【００２０】
なお、上述した実施形態において、ＩＣタグリーダ付きＣＤ−ＲＯＭドライブ４は、接続ケーブル６を介してコンピュータ５に接続される場合について説明したが、ＩＣタグリーダ付きＣＤ−ＲＯＭドライブ４は、コンピュータ５の筐体内に予め搭載されるようにしてもよい。
【００２１】
また、上述した実施形態において、記録媒体３は、ＣＤ−ＲＯＭ２にＩＣタグ１が取り付けられている場合について説明したが、第１の記録媒体としては、第２の記録媒体に取り付けることができるものであればＩＣタグ１に限られるものではない。また、第２の記録媒体としては、ソフトウェアなどのデータを記録でき、第１の記録媒体が取り付けられるものであればよく、例えば、光磁気ディスクや、フレキシブルディスク、ＤＶＤ（Ｄｉｇｉｔａｌ  Ｖｅｒｓａｔｉｌｅ  Ｄｉｓｋ）などであってもよい。
また、上述の実施形態においては、ＣＤ−ＲＯＭ２に記憶されたデータがソフトウェアである場合について説明したが、文書データや画像データ等のデータを記憶しておき、ＩＣタグ１を利用して認証が正当に行われた場合に、データの読み出しが許可されるようにしてもよい。
【００２２】
また、この実施形態においては、ＩＣタグリーダ付きＣＤ−ＲＯＭドライブ４に正当性検出部４２、許可部４３、出力部４５を設け、ＩＣタグリーダ付きＣＤ−ＲＯＭドライブ４によってソフトウェアインストール管理機能を実現する場合について説明したが、図４に示すように、コンピュータ５に正当性検出部４２、許可部４３、出力部４５を設け、コンピュータ５においてソフトウェアインストール管理機能を実現するようにしてもよい。この場合、出力部４５は、コンピュータ５の内部に設けられたハードディスク４６にソフトウェアを記憶させることによりインストールを行う。
【００２３】
なお、上述した実施形態において、許可部４３においてインストールが許可された場合に、ＷＥＢを介してソフトウェア販売業者のコンピュータにユーザ登録を行う処理を実行するようにしてもよい。これにより、ユーザは、シリアルキーなどの個別情報を入力することなく、簡単にユーザ登録をすることが可能である。
【００２４】
従来においては、正当な記録媒体からソフトウェアがコピーされ、シリアルキーが知られてしまうと、ソフトウェアが不正に利用されてしまうという問題点があるが、上述した実施形態においては、ＩＣタグ１に記憶された個別情報と該ＩＣタグ１が取り付けされたＣＤ−ＲＯＭ２に記憶された個別情報とを比較して認証を行い、認証が成立した場合に、ＣＤ−ＲＯＭ２に記憶されたソフトウェアのインストールを許可するようにしたので、正当な媒体からのみソフトウェアをインストールさせることができる。
【００２５】
また、上述した実施形態において、ＩＣタグ１が取り付けられたＣＤ−ＲＯＭ２を製造しておき、出荷時などにおいて、個別情報をＩＣタグ１に記憶させることにより、記録媒体３を製造することができ、これにより、ソフトウェアが記録されたＣＤ−ＲＯＭ等に個別情報が印字されたシールなどを貼り付けるような行程に比べて簡単な行程で記録媒体３の製造を行うことが可能となる。
【００２６】
また、図２または図４における正当性検出部４２、許可部４３、出力部４５の機能を実現するためのプログラムをコンピュータ読み取り可能な記録媒体に記録して、この記録媒体に記録されたプログラムをコンピュータシステムに読み込ませ、実行することによりソフトウェアインストール管理を行ってもよい。なお、ここでいう「コンピュータシステム」とは、ＯＳや周辺機器等のハードウェアを含むものとする。
【００２７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００２８】
以上、この発明の実施形態を図面を参照して詳述してきたが、具体的な構成はこの実施形態に限られるものではなく、この発明の要旨を逸脱しない範囲の設計等も含まれる。
【００２９】
【発明の効果】
以上説明したように、この発明によれば、個別情報が記憶された第１の記録媒体が設けられているとともにデータが記憶された第２の記録媒体から該データを読み出す際に、第１の記録媒体に記憶された個別情報と第２の記録媒体に記憶された個別情報とを比較して、これら個別情報の組み合わせが正しい場合に、第２の記録媒体からデータの読み出しを許可するようにしたので、正当な記録媒体からのみデータの読み出しを行うことができ、これにより、データが不正に読み出され、利用されてしまうことを防止することができる。
【００３０】
また、この発明によれば、個別情報が記憶された第１の記録媒体が設けられているとともにソフトウェアが記憶された第２の記録媒体からコンピュータに対する該ソフトウェアのインストールを行う際に、第１の記録媒体に記憶された個別情報と第２の記録媒体に記憶されたから個別情報との組み合わせが正しいか否かを検出し、これら個別情報の組み合わせが正しい場合に、第２の記録媒体からソフトウェアのインストールを許可してインストールさせるようにしたので、正当な記録媒体からのみインストールを行わせることができ、これにより、ソフトウェアが不正にコピーされてインストールされてしまうことを防止することができる。また、ソフトウェア販売者側コンピュータにユーザ登録をする必要がないので、コンピュータをネットワークに接続しなければならないという作業をユーザに行わせることなく、インストールが可能となる。
また、ユーザが個別情報を入力することなくインストール作業を行うことができ、個別情報を入力する手間を省き、入力ミスを解消することができる。
【００３１】
また、本発明によれば、個別情報を記憶した記録媒体とデータを記録した記録媒体とを１つの記録媒体として構成するようにしたので、個別情報が記録された記録媒体とデータが記憶された記録媒体とを個別に管理することなくインストール等を行うことが可能であり、これにより、ライセンス証明書等の個別情報が印字された証明書を紛失してしまうことにより、正当なユーザであってもインストールすることができなくなってしまうことを防止することができるとともに、個別情報の管理を簡単にすることができる。
【図面の簡単な説明】
【図１】この発明の一実施形態による記録媒体、データ読み取り装置が適用されたソフトウェアインストール管理システムの構成を示す図である。
【図２】図１の構成におけるＩＣタグリーダ付きＣＤ−ＲＯＭドライブ４の構成を示す概略ブロック図である。
【図３】図１の構成におけるソフトウェアインストール管理システムの動作について説明するためのフローチャートである。
【図４】他の実施形態におけるソフトウェアインストール管理システムの構成を示す概略ブロック図である。
【符号の説明】
１  ＩＣタグ                ２  ＣＤ−ＲＯＭ
３  記録媒体                ４  ＩＣタグリーダ付きＣＤ−ＲＯＭドライブ
５  コンピュータ            ４１  第１読み出し部
４２  正当性検出部          ４３  許可部
４４  第２読み出し部        ４５  出力部
【図１】
2004295391.tif 000003
【図２】
2004295391.tif 000004
【図３】
2004295391.tif 000005
【図４】
2004295391.tif 000006